(57)【要約】【課題】施工性が良く、高さ調節作業と支持脚の固定作業を簡単に行うことができる浴室用フロアパネルを提供する。【解決手段】パネル本体１の四隅に高さ調節手段２を備え、その高さ調節手段２が、パネル本体１の天板から下方へ突設され且つ下端部に雌ネジ(ナット２ｆ)を有する脚受部２ａと、この雌ネジに下方から螺入されたボルトよりなり且つそのボルト外周面の一部に雄ネジが切除された平坦面を２ｈを有する支持脚２ｂと、この平坦面２ｈに対応する平坦面２ｊを内周面の一部に有し且つ上方から脚受部に挿入されて支持脚に被嵌された脚キャップ２ｃと、この脚キャップ上端の多角形の頭部２ｄが嵌まり込む脚受部上端開口縁の多角形の座繰部２ｅとで構成された浴室用フロアパネルとする。平坦面２ｈ，２ｊで脚キャップ２ｃと支持脚２ｂの相対的な回転を阻止し、座繰部２ｅに嵌まり込んだ多角形の頭部２ｄで脚キャップ２ｃと脚受部２ａとの相対的な回転を阻止して支持脚２ｂを固定する。【選択図】  図４
2004197370.tif 000002
【特許請求の範囲】
【請求項１】
方形の平面形状を有するパネル本体の四隅に高さ調節手段を備えた浴室用フロアパネルであって、
上記高さ調節手段は、パネル本体の天板から下方へ突設され且つ下端部に雌ネジを有する円筒状の脚受部と、この脚受部の雌ネジに下方から螺入されたボルトよりなり且つそのボルト外周面の一部に雄ネジが切除された平坦面を有する支持脚と、この支持脚の平坦面に対応する平坦面を内周面の一部に有し且つ上方から上記脚受部に挿入されて支持脚に被嵌された円筒状の脚キャップと、この脚キャップ上端の多角形の頭部が嵌まり込む上記脚受部の上端開口縁に形成された多角形の座繰部と、から成ることを特徴とする浴室用フロアパネル。
【請求項２】
前記支持脚のボルト上端に、回転治具と係合する係合凹部が形成されている、請求項１に記載の浴室用フロアパネル。
【請求項３】
前記脚キャップの外周面上端部に抜け防止リブが形成されている、請求項１に記載の浴室用フロアパネル。
【請求項４】
前記脚キャップの多角形の頭部に切欠部が形成されている、請求項１又は請求項３に記載の浴室用フロアパネル。
【請求項５】
前記パネル本体の四周側面に多数の凹部が形成されている、請求項１に記載の浴室用フロアパネル。
【請求項６】
前記パネル本体の天板が、その中心点を頂点とする高さが１ｃｍ以下の偏平な四角錐の形状とされている、請求項１又は請求項５に記載の浴室用フロアパネル。
【請求項７】
前記パネル本体が、正方形の平面形状を有する標準用パネル本体、長辺の長さが該標準用パネル本体の一辺の長さに等しく且つ短辺の長さが該標準用パネル本体の一辺の長さの１／３又は２／３である長方形の平面形状を有する調整用パネル本体、一辺の長さが該調整用パネル本体の短辺の長さに等しい正方形の平面形状を有する調整用パネル本体のいずれかである、請求項１、請求項５又は請求項６に記載の浴室用フロアパネル。
【発明の詳細な説明】
【０００１】
【発明の属する技術分野】
本発明は、施工が簡単で高さ調節の自在な浴室用フロアパネルに関する。
【０００２】
【従来の技術】
近年、浴室の入口と床面との段差をなくして老人等が安全に出入りできるようにするために、高さ調節の可能なフロア材が浴室の床面に敷設されるようになってきた。この高さ調節可能なフロア材としては、ボルト等からなる高さ調節用の支持脚をフロア材の裏面からねじ込み、支持脚のねじ込み深さを加減することによってフロア材の表面の高さを調節するようにしたものが、一般に使用されている。
【０００３】
けれども、上記のフロア材は、入浴者の荷重等を受けて振動を繰り返すと、支持脚がその振動によって少しずつ回転するため、フロア材の高さを最初に設定した高さに維持することが難しいという問題があった。
【０００４】
そこで、本出願人は、図１１、図１２に示すように、平行に配置した支持基材１０１の相互間に横架材１０２を架け渡すと共に、その上に表面材１０３を被着することによりフロア材を組み立て、高さ調節用のネジ杆よりなる支持脚１０４を支持基材１０１の下方からねじ込んで、固定用リング１０５で支持脚１０４を回転しないように固定した、高さ調節の自在な組立式のフロア材を提案した（特許文献１）。
【０００５】
【特許文献１】
特開２００１−２４１１７５号公報（図１，図２，図３，図４）
【０００６】
【発明が解決しようとする課題】
本出願人が提案した上記のフロア材は、丈夫で排水性が良く、しかも、支持脚１０４を回転して高さを調節したのち固定リング１０５で支持脚１０４を固定できるため、フロア材の表面材１０３を最初に設定した高さに維持できるといった長所を有しているが、その反面、次のような解決すべき問題が残されていた。
【０００７】
即ち、フロア材の組立てに時間がかかるため、施工性があまり良くないという問題があり、また、フロア材の裏側へ手を入れて固定リング１０５を締め付けなければならないため、固定リング１０５の締付け作業も面倒であるという問題があった。
【０００８】
本発明は上記の問題に対処すべくなされたもので、その目的とするところは、施工性が良く、フロアパネルの上側から高さ調節と固定作業を簡単に行うことができ、排水性も良好な浴室用フロアパネルを提供することにある。
【０００９】
【課題を解決するための手段】
前記の目的を達成するため、本発明に係る浴室用フロアパネルは、方形の平面形状を有するパネル本体の四隅に高さ調節手段を備えたものであって、その高さ調節手段が、パネル本体の天板から下方へ突設され且つ下端部に雌ネジを有する円筒状の脚受部と、この脚受部の雌ネジに下方から螺入されたボルトよりなり且つそのボルト外周面の一部に雄ネジが切除された平坦面を有する支持脚と、この支持脚の平坦面に対応する平坦面を内周面の一部に有し且つ上方から上記脚受部に挿入されて支持脚に被嵌された円筒状の脚キャップと、この脚キャップ上端の多角形の頭部が嵌まり込む上記脚受部の上端開口縁に形成された多角形の座繰部と、から成ることを特徴とする。
【００１０】
斯かる浴室用フロアパネルは、前述のフロア材のように組立てる必要がなく、浴室の床面に縦横に並べて置敷すればよいので施工性が良好であり、脚キャップを抜き取って支持脚を回転させると、パネル本体の天板の高さを所望の高さに調節することができる。そして、高さを調節した後、脚キャップを上方から脚受部に挿入して支持脚に被嵌すると共に、脚キャップの多角形の頭部を脚受部の上端開口縁の多角形の座繰部に嵌め込むと、脚キャップの内周面に形成された平坦面と支持脚のボルト外周面に形成された平坦面とが当接して脚キャップと支持脚の相対的な回転が阻止されると同時に、座繰部に嵌まり込んだ脚キャップの頭部によって脚キャップと脚受部の相対的な回転も阻止されるため、支持脚が脚受部に回転不能に固定されて、パネル本体の天板が調節された高さに維持される。従って、従来のフロア材のように裏側へ手を入れて固定リングを締め付ける面倒な作業が不要となり、支持脚を回転不能に固定する作業が極めて容易になる。
【００１１】
本発明の浴室用フロアパネルにおいては、支持脚のボルト上端に、回転治具と係合する係合凹部を形成することが望ましい。このようにすると、フロアパネルを置敷した後、脚キャップを抜き取ってパネル本体の上方から回転治具を脚受部に挿入し、この回転治具の先端を支持脚の係合凹部に係合させて支持脚を回転させることにより、フロアパネルの高さ調節を上方から簡単に行うことが可能となる。
【００１２】
また、本発明の浴室用フロアパネルにおいては、脚キャップの外周面上端部に抜け防止リブを形成し、更に、脚キャップの多角形の頭部に切欠部を形成することが望ましい。このようにすると、フロアパネルが振動しても、抜け防止リブによって脚キャップが脚受部から抜け出す心配がなくなり、また、高さ調節を行うときに、多角形頭部の切欠部に指先やドライバーの先端を入れて脚キャップを簡単に抜き取ることができる。
【００１３】
また、本発明の浴室用フロアパネルにおいては、パネル本体の四周側面に多数の凹部を形成すると共に、パネル本体の天板を、その中心点を頂点とする高さが１ｃｍ以下の偏平な四角錐の形状にすることが望ましい。このようにすると、湯水が偏平な四角錐形状の天板の上面を四方に向かって流下し、四周側面の凹部から浴室の床面へ落下、排水されるので、良好な排水性を確保でき、湯水が天板の上面に溜まって足を滑らせる危険性をなくすことができる。
【００１４】
また、本発明の浴室用フロアパネルにおいては、そのパネル本体を、正方形の平面形状を有する標準用パネル本体、長辺の長さが該標準用パネル本体の一辺の長さに等しく且つ短辺の長さが該標準用パネル本体の一辺の長さの１／３又は２／３である長方形の平面形状を有する調整用パネル本体、一辺の長さが該調整用パネル本体の短辺の長さに等しい正方形の平面形状を有する調整用パネル本体のいずれかとすることが望ましい。このように数種類のパネル本体を有するフロアパネルを取りそろえておくと、標準用パネル本体を有するフロアパネルを縦横に並べて浴室の床面の大部分に置敷し、これらのフロアパネルの端縁と浴室の側壁や浴槽との間に、調整用パネル本体を置敷することによって、寸法調整と端仕舞を容易に行えるようになり、施工性が一層向上する。
【００１５】
【発明の実施の形態】
以下、図面を参照して本発明の具体的な実施形態を説明する。
【００１６】
図１は本発明の一実施形態に係る浴室用フロアパネルの斜視図、図２は同フロアパネルの支持脚を抜き取った底面図、図３は同フロアパネルの高さ調節手段を示す断面図、図４は図３のＡ−Ａ線断面図、図５は同高さ調節手段を示す分解斜視図である。
【００１７】
この浴室用フロアパネルＰ1 は、パネル本体１の四隅に高さ調節手段２を設けたものであって、パネル本体１は一辺の長さが４５ｃｍ程度の正方形の平面形状を有する標準用パネル本体とされている。
【００１８】
このパネル本体１は、シートモールディングコンパウンド(ＳＭＣ)等でプレス成形されたものであって、図１に示すように、その四周側面には多数の凹部１ｂが一定間隔をあけて形成されており、また、パネル本体１の天板１ａは、その中心点を頂点Ｏとする高さが１ｃｍ以下の偏平な四角錐の形状とされている。従って、このパネル本体１を縦横に並べて浴室の床面に置敷すると、湯水が偏平な四角錐形状の天板１ａの上面を矢符で示すように四方に向かって流下し、四周側面の凹部１ｂから浴室の床面へ落下排水されるため、排水性が極めて良好であり、湯水が天板１ａの上面に溜まって足を滑らせる危険性は皆無に等しい。
【００１９】
また、図２に示すように、このパネル本体１の裏面には、対角線に沿って直線状の補強用リブ１ｃが形成されており、さらに、裏面中央には環状の補強用リブ１ｄが形成されている。そのため、このパネル本体１は強度が大きく、天板１ａに大きい荷重が作用しても簡単に破損する心配はない。
【００２０】
このフロアパネルＰ1 のパネル本体１の四隅に設けられた高さ調節手段２は、図３〜図５に示すように、パネル本体１の天板１ａから下方へ突設された脚受部２ａと、ボルトよりなる支持脚２ｂと、この支持脚２ｂに被嵌される脚キャップ２ｃと、この脚キャップ上端の頭部２ｄが嵌まり込む座繰部２ｅ等からなるものである。
【００２１】
上記の脚受部２ａは円筒状に形成されており、図示のようにナット２ｆを埋め込むことによって脚受部２ａの下端部に雌ネジが形成されている。上記の支持脚２ｂは、この雌ネジ（ナット２ｆ）に下方から螺入されて脚受部２ａに遊挿されるステンレス等の金属製のボルトからなるもので、その下端には合成ゴム製の脚座２ｇが取付けられている。そして、この支持脚２ｂのボルト外周面には、雄ネジを切除した平坦面２ｈ，２ｈが相対向して二箇所に形成されており、更に、ボルト上端には、支持脚２ｂを回すための回転治具を係合させる溝形の係合凹部２ｉが形成されている。平坦面２ｈは、支持脚２ｂと脚キャップ２ｃとの相対的な回動を阻止するものであるから、支持脚２ｂのボルト外周面に少なくとも一箇所形成すればよく、また、係合凹部２ｉは、回転治具の先端の形状に対応して十字溝形や他の形状に変更してもよい。
【００２２】
上記の脚キャップ２ｃは、ポリプロピレン等の合成樹脂で上端が閉じた円筒形状に射出成形されており、その内周面には、上記支持脚２ｂの平坦面２ｈ，２ｈに対応する平坦面２ｊ，２ｊが相対向して二箇所に形成されている。そして、この脚キャップ２ｃの上端には六角形の平坦な頭部２ｄが形成されており、該頭部２ｄには、脚キャップ２ｃの抜き取りを容易にするための二つの切欠部２ｋ，２ｋ（図５を参照）が形成されている。また、この脚キャップ２ｃの外周面上端部には、脚受部２ａから脚キャップが抜け出すのを防止するための一対の抜け防止リブ２ｍ，２ｍ（図５を参照）が形成されている。脚キャップ２ｃの平坦面２ｊは、支持脚２ｂの平坦面２ｈに対応して少なくとも一箇所に形成されていればよく、切欠部２ｋや抜け防止リブ２ｍも、少なくとも一箇所に形成されていれば足る。また、脚キャップ２ｃの頭部２ｄの形状は、六角形に限定されるものではなく、三角形以上の多角形であればよい。そして、十字形や星形などでもよく、このような十字形や星形の頭部も本発明に言う「多角形の頭部」に含まれる。
【００２３】
脚受部２ａの上端開口縁に形成された上記の座繰部２ｅは、脚キャップ２ｃの六角形の頭部２ｄに対応して六角形に形成されており、この座繰部２ｅに頭部２ｄが嵌まり込むと、脚受部２ｂと脚キャップ２ｃの相対的な回動が阻止されるようになっている。座繰部２ｅの形状は六角形に限定されるものではなく、頭部２ｄの形状に対応した多角形に形成すればよい。
【００２４】
このフロアパネルＰ1 の高さ調節手段２は、上記脚受部２ａの雌ネジ（埋込みナット２ｆ）に上記支持脚２ｂのボルトを下方から螺入して脚受部２ａに遊挿し、上記脚キャップ２ｃを上方から脚受部２ａに挿入して支持脚２ｂのボルトに被嵌すると共に、脚キャップ２ｃの頭部２ｄを上記座繰部２ｅに嵌め込んで構成されたものである。従って、脚キャップ２ｃを抜き取って回転治具（不図示）を上方から脚受部２ａに挿入し、該回転治具の先端を支持脚２ｂのボルト上端の係合凹部２ｉに係合させて支持脚２ｂを回転させると、フロアパネルの天板１ａの高さ調節を上方から簡単に行うことができる。なお、脚キャップ２ｃを抜き取る作業は、頭部２ｄの切欠部２ｋ，２ｋに指先やドライバーの先端を入れて頭部２ｄを持上げることにより、容易に行うことができる。
【００２５】
そして、高さを調節した後、図３、図４に示すように脚キャップ２ｃを上方から脚受部２ａに挿入して支持脚２ｂのボルトに被嵌すると共に、脚キャップ２ｃの六角形の頭部２ｄを六角形の座繰部２ｅに嵌め込むと、支持脚２ｂのボルト外周面に形成された平坦面２ｈ，２ｈと脚キャップ２ｃの内周面に形成された平坦面２ｊ，２ｊとが当接して支持脚２ｂと脚キャップ２ｃの相対的な回転が阻止されると同時に、座繰部２ｅに嵌まり込んだ脚キャップ２ｃの頭部２ｄによって脚キャップ２ｃと脚受部２ａの相対的な回転も阻止されるため、支持脚２ｂが脚受部２ａに回転不能に固定されて、パネル本体１を調節した高さに維持することができる。なお、脚受部２ａに挿入された脚キャップ２ｃは、抜け防止リブ２ｍ，２ｍが脚受部２ａの内面に圧接するため、振動を受けても簡単に抜け出すことはなく、確実に支持脚２ｂを固定することができる。
【００２６】
以上のような構成の浴室用フロアパネルＰ1 は、浴室の床面に縦横に並べて置敷され、前述した要領でフロアパネルの上方から高さ調節と支持脚の固定を簡単に行うことができるので、施工性が極めて良好であり、しかも調節したフロアパネルの高さを確実に維持することができる。
【００２７】
図６は本発明の他の実施形態に係る浴室用フロアパネルの斜視図であって、この浴室用フロアパネルＰ2 のパネル本体１１は、その長辺の長さが前記フロアパネルＰ1 の標準用パネル本体１の一辺の長さに等しく、且つ、短辺の長さが該標準用パネル本体１の一辺の長さの１／３である長方形の平面形状を有する調整用パネル本体１１に形成されており、その四隅に前述した高さ調節手段２が設けられている。このような調整用パネル本体１１を有するフロアパネルＰ2 （以下、調整用フロアパネルＰ2 という）は、後述するように寸法調整と端仕舞に使用される。
【００２８】
なお、この調整用フロアパネルＰ2 の他の構成は前述した浴室用フロアパネルＰ1 と同様であるので、図６において同一部材に同一符号を付し、説明を省略する。
【００２９】
図７は本発明の更に他の実施形態に係る浴室用フロアパネルの斜視図であって、この浴室用フロアパネルＰ3 のパネル本体１２は、その長辺の長さが前記フロアパネルＰ1 の標準用パネル本体１の一辺の長さに等しく、且つ、短辺の長さが該標準用パネル本体１の一辺の長さの２／３である長方形の平面形状を有する調整用パネル本体１２に形成されており、その四隅に前述した高さ調節手段２が設けられている。このような調整用パネル本体１２を有するフロアパネルＰ3 （以下、調整用フロアパネルＰ3 という）も、寸法調整と端仕舞に使用される。
【００３０】
なお、この調整用フロアパネルＰ3 の他の構成は前述した浴室用フロアパネルＰ1 と同様であるので、図７において同一部材に同一符号を付し、説明を省略する。
【００３１】
図８は本発明の更に他の実施形態に係る浴室用フロアパネルの斜視図であって、この浴室用フロアパネルＰ4 のパネル本体１３は、その一辺の長さが前記フロアパネルＰ2 の調整用パネル本体１１の短辺の長さに等しい正方形の平面形状を有する調整用パネル本体１３に形成されており、その四隅に前述した高さ調節手段２が設けられている。このような調整用パネル本体１３を有するフロアパネルＰ4 （以下、調整用フロアパネルという）も、後述するように寸法調整と端仕舞に使用される。
【００３２】
なお、この調整用フロアパネルＰ3 の他の構成は前述した浴室用フロアパネルＰ1 と同様であるので、図７において同一部材に同一符号を付し、説明を省略する。
【００３３】
図９は本発明の浴室用フロアパネルの一施工例を示す平面図である。
【００３４】
この施工例では、前述した正方形の標準用パネル本体１を有するフロアパネルＰ1 （以下、標準用フロアパネルという）を縦横に並べて浴室２０の床面の大部分に置敷している。そして、これらの標準用フロアパネルＰ1 の端縁と浴室の入口２１側の壁面との間、及び、これらの標準用フロアパネルＰ1 の端縁と浴槽２２との間に、前述した調整用フロアパネルＰ2 を置敷し、この調整用フロアパネルＰ2 で挟まれるコーナー部分に前述した調整用フロアパネルＰ4 を置敷している。
【００３５】
フロアパネルとして、標準用あるいは調整用の数種類のフロアパネルを取りそろえておくと、この施工例のように、標準用フロアパネルを浴室の床面の大部分に置敷し、調整用フロアパネルで寸法調整と端仕舞を容易に行うことができるため、施工性が更に向上する利点がある。
【００３６】
図１０は本発明の浴室用フロアパネルの他の施工例を示す平面図である。
【００３７】
この施工例は、上述した図９に示す施工例において、標準用フロアパネルＰ1 の端縁と浴室の入口２１側の壁面との間に置敷された調整用フロアパネルＰ2 、標準用フロアパネルＰ1 と浴槽２２との間で浴室の排水口２３を覆うように置敷された調整用フロアパネルＰ2 、コーナー部分の調整用フロアパネルＰ4  を、いずれも天板に多数の透水孔が形成された透水フロアパネルＰ5，Ｐ6に置き換えたものである。
【００３８】
このように施工すると、湯水が透水フロアパネルＰ5，Ｐ6によって瞬時に床面に流れ落ちるため、浴室の入口２１から湯水が室外にこぼれる心配が解消されると共に、標準用フロアパネルＰ1 や調整用フロアパネルＰ2 の上面の湯水の大部分が排水口２３を覆う透水フロアパネルＰ5 から排水口２３へ流れ込むようになるので掃流性を確保できる利点がある。
【００３９】
なお、透水フロアパネルＰ5，Ｐ6としては、多数の透水孔を有する切断の容易な合成樹脂製のパネルであって、上記の高さ調節手段２と実質的に同様の高さ調節手段を四隅に脱着可能に取付けたものなどが使用される。
【００４０】
【発明の効果】
以上の説明から明らかなように、本発明の浴室用フロアパネルは、浴室の床面に置敷して、パネルの上方から高さ調節作業と支持脚の固定作業を簡単に行うことができるので、施工性が極めて良好であり、しかも、調節したフロアパネルの高さを確実に維持することができ、良好な排水性も確保できる、といった顕著な効果を奏する。
【図面の簡単な説明】
【図１】本発明の一実施形態に係る浴室用フロアパネルの斜視図である。
【図２】同フロアパネルの支持脚を抜き取った底面図である。
【図３】同フロアパネルの高さ調節手段を示す断面図である。
【図４】図３のＡ−Ａ線断面図である。
【図５】同高さ調節手段を示す分解斜視図である。
【図６】本発明の他の実施形態に係る浴室用フロアパネルの斜視図である。
【図７】本発明の更に他の実施形態に係る浴室用フロアパネルの斜視図である。
【図８】本発明の更に他の実施形態に係る浴室用フロアパネルの斜視図である。
【図９】本発明の浴室用フロアパネルの一施工例を示す平面図である。
【図１０】本発明の浴室用フロアパネルの他の施工例を示す平面図である。
【図１１】従来のフロア材の正面図である。
【図１２】同フロア材の側面図である。
【符号の説明】
１  パネル本体（標準用パネル本体）
１１，１２，１３  パネル本体（調整用パネル本体）
１ａ  天板
１ｂ  凹部
２  高さ調節手段
２ａ  脚受部
２ｂ  支持脚
２ｃ  脚キャップ
２ｄ  脚キャップの頭部
２ｅ  座繰部
２ｆ  ナット（雌ねじ）
２ｈ  平坦面
２ｉ  係合凹部
２ｊ  平坦面
２ｋ  切欠部
２ｍ  抜け防止リブ
２０  浴室
Ｐ1   浴室用フロアパネル（標準用フロアパネル）
Ｐ2 ，Ｐ3 ，Ｐ4   浴室用フロアパネル（調整用フロアパネル）
【図１】
2004197370.tif 000003
【図２】
2004197370.tif 000004
【図３】
2004197370.tif 000005
【図４】
2004197370.tif 000006
【図５】
2004197370.tif 000007
【図６】
2004197370.tif 000008
【図７】
2004197370.tif 000009
【図８】
2004197370.tif 000010
【図９】
2004197370.tif 000011
【図１０】
2004197370.tif 000012
【図１１】
2004197370.tif 000013
【図１２】
2004197370.tif 000014